(57)【要約】      （修正有）【課題】描画表示周期よりも短い時間分解能の所要時間を違和感なく表示する所要時間表示装置を提供する。【解決手段】所要時間表示装置Ｍの制御手段２は、ラップタイムＬＰが計時中のときにおいては、５０ミリ秒の描画更新周期よりも長い時間分解能の所要時間表示部１１ｍ，１１ｓ，１１ｄｓにラップタイムＬＰを第１書体データに基づいて表示すると共に、描画更新の度に５０ミリ秒の描画更新周期よりも短い時間分解能の所要時間表示部１１ｃｓに第２書体データから順に選択して表示する。そして、制御手段２は、ラップタイムＬＰが計時を終了すると、所要時間表示部１１ｍ，１１ｓ，１１ｄｓ，１１ｃｓにラップタイムＬＰを第１書体データに基づいて表示する。【選択図】図１
2018081011.tif 000002
【特許請求の範囲】
【請求項１】
所定の時間分解能で所要時間を前記所定の時間分解能よりも長い描画更新周期で描画更新して画像表示する所要時間表示装置であって、
前記所要時間を計時している間は、前記所定の時間分解能よりも長い第２時間分解能の第１表示部に前記所要時間を第１書体データに基づいて表示すると共に、前記第２時間分解能よりも短い第２表示部に前記描画更新の度に所定の画像を順に切り替えて表示し、
前記所要時間の計時を完了すると、前記所定の時間分解能の前記所要時間を前記第１書体データに基づいて前記第１表示部及び前記第２表示部に画像表示する、
ことを特徴とする所要時間表示装置。
【請求項２】
前記所定の画像は、隣り合う数値を組み合わせた第２書体データである、
ことを特徴とする請求項１に記載の所要時間表示装置。
【請求項３】
前記第２書体データは、隣り合う数値の数の大きい方を小さい方に比べ強調して組み合わせる、
ことを特徴とする請求項２に記載の所要時間表示装置。
【発明の詳細な説明】
【技術分野】
【０００１】
本発明は、所要時間を表示する所要時間表示装置に関する。
【背景技術】
【０００２】
従来の所要時間表示装置として、特許文献１に開示されたものがある。この所要時間表示装置は、所要時間（ラップタイム情報）を画像表示する車両用計器である。
【先行技術文献】
【特許文献】
【０００３】
【特許文献１】特開２０１５−１５１５
【発明の概要】
【発明が解決しようとする課題】
【０００４】
しかしながら、このような車両用計器において、描画表示周期よりも短い分解能の所要時間を計時しつつ表示する場合に、描画表示周期よりも短い時間分解能の所要時間の表示部の数値が偏って違和感のある表示となる。
【０００５】
本発明は上述した課題に鑑みてなされたものであり、描画表示周期よりも短い時間分解能の所要時間を違和感なく表示する所要時間表示装置を提供することを目的とする。
【課題を解決するための手段】
【０００６】
本発明に係る所要時間表示装置は、
所定の時間分解能で所要時間を前記所定の時間分解能よりも長い描画更新周期で描画更新して画像表示する所要時間表示装置であって、
前記所要時間を計時している間は、前記所定の時間分解能よりも長い第２時間分解能の第１表示部に前記所要時間を第１書体データに基づいて表示すると共に、前記第２時間分解能よりも短い第２表示部に前記描画更新の度に所定の画像を順に切り替えて表示し、
前記所要時間の計時を完了すると、前記所定の時間分解能の前記所要時間を前記第１書体データに基づいて前記第１表示部及び前記第２表示部に画像表示する。
【０００７】
また、本発明に係る所要時間表示装置の
前記所定の画像は、隣り合う数値を組み合わせた第２書体データである、
ように構成することが好ましい。
【０００８】
また、本発明に係る所要時間表示装置の
前記第２書体データは、隣り合う数値の数の大きい方を小さい方に比べ強調して組み合わせる、
ように構成することが好ましい。
【発明の効果】
【０００９】
描画表示周期よりも短い時間分解能の所要時間を違和感なく表示する所要時間表示装置を提供できる。
【図面の簡単な説明】
【００１０】
【図１】本発明の実施形態である車両用計器の電気的構成図。
【図２】同車両用計器の第１書体データを示す図。
【図３】同車両用計器の第２書体データを示す図。
【図４】同車両用計器の所要時間表示処理を示すフローチャート図。
【図５】同車両用計器の第２書体データの変形例を示す図。
【発明を実施するための形態】
【００１１】
本発明の実施形態である車両用計器Ｍを添付図面を参照して以下に説明する。
【００１２】
車両用計器Ｍは、画像表示手段１と、制御手段２と、入力手段３と、から主に構成される。
【００１３】
画像表示手段１は、画像を表示する表示部１０を有する液晶表示器である。表示部１０は、ラップタイムＬＰを示す所要時間表示部１１を有する。所要時間表示部１１は、時間分解能の異なる所要時間表示部１１ｍ，１１ｓ，１１ｄｓ，１１ｃｓを有する。所要時間表示部１１ｍの時間分解能は１分、所要時間表示部１１ｓの時間分解能は１秒、所要時間表示部１１ｄｓの時間分解能は１００ミリ秒、所要時間表示部１１ｃｓの時間分解能は１０ミリ秒である。
【００１４】
制御手段２は、演算装置と記憶装置と時間を計時するタイマと各種インターフェースを有するマイクロコントローラである。制御手段２は、後述する入力手段３から操作信号が入力されると、タイマによって計時を開始し、計時した時間（所要時間）を５０ミリ秒の描画更新周期で定期的に画像表示手段１に表示させる。
【００１５】
制御手段２の記憶装置には、図２に示すように、「０」〜「９」の数値に対応する第１書体データＦ０〜Ｆ９が記憶されている。
【００１６】
また、制御手段２の記憶装置には、図３に示すように、「０」と「１」の数値を組み合わせたＦ０１ａと、「２」と「３」の数値を組み合わせたＦ２３ａと、「４」と「５」の数値を組み合わせたＦ４５ａと、「６」と「７」の数値を組み合わせたＦ６７ａと、「８」と「９」の数値を組み合わせたＦ８９ａと、から構成される第２書体データが記憶されている。この第２書体データは、「０」〜「９」の数値のうち、互いの数値の差分が１となる隣り合う数値の組み合わせである。なお、「０」は「１０」の意味も含み、「９」は「１０」と差分が１となる隣り合う数値であることから、「０」と「９」も互いに隣り合う数値とする。
【００１７】
入力手段３は、例えば、車両のステアリングに搭載されたスイッチであり、制御手段２に所要時間の計時の開始及び終了を示す操作信号を出力する。
【００１８】
以下に、図４に基づいて、ラップタイムＬＰを表示する手順について説明する。
【００１９】
制御手段２は、入力手段３から計時の開始を示す操作信号が入力されると、ステップＳ１に進み、ラップタイムＬＰの表示手順を開始する。
【００２０】
（ステップＳ１）
制御手段２は、ラップタイムＬＰを計時する。計時されるラップタイムＬＰの時間分解能は１ミリ秒である。
【００２１】
（ステップＳ２）
制御手段２は、入力手段３から計時の終了を示す操作信号が入力されたか否かを判定する。制御手段２は、計時の終了を示す操作信号が入力されていないと判断した場合はステップＳ３ａに進み、計時の終了を示す操作信号が入力されたと判断した場合はステップＳ３ｂに進む。
【００２２】
（ステップＳ３ａ）
制御手段２は、計時されたラップタイムＬＰから所要時間表示部１１ｍ，１１ｓ，１１ｄｓに表示する数値を決定する。制御手段２は決定された数値に対応する画像を第１書体データＦ０〜Ｆ９から選択する。
【００２３】
（ステップＳ４ａ）
制御手段２は、計時されたラップタイムＬＰに関わらず、所要時間表示部１１ｃｓに表示する所定の画像を第２書体データからＦ０１ａ、Ｆ２３ａ、Ｆ４５ａ、Ｆ６７ａ、Ｆ８９ａの順に選択する。
【００２４】
（ステップＳ５ａ）
制御手段２は、所要時間表示部１１ｍ，１１ｓ，１１ｄｓに第１書体データＦ０〜Ｆ９から選択された画像を描画し、所要時間表示部１１ｃｓに第２書体データから選択された所定の画像を描画する。
制御手段２は、描画を終えると再びステップＳ１の手順を行う。
【００２５】
（ステップＳ３ｂ）
制御手段２は、計時の終了を示す操作信号が入力されたと判断すると、ラップタイムＬＰの計時を終了する。
【００２６】
（ステップＳ４ｂ）
制御手段２は、計時されたラップタイムＬＰから所要時間表示部１１ｍ，１１ｓ，１１ｄｓ，１１ｃｓに表示する数値を決定する。制御手段２は決定された数値に対応する画像を第１書体データＦ０〜Ｆ９から選択する。
【００２７】
（ステップＳ５ｂ）
制御手段２は、所要時間表示部１１ｍ，１１ｓ，１１ｄｓ，１１ｃｓに第１書体データＦ０〜Ｆ９から選択された画像を描画し、ラップタイムＬＰの表示手順を完了する。
【００２８】
以上のように、制御手段２は、ラップタイムＬＰが計時中のときにおいては、５０ミリ秒の描画更新周期よりも長い時間分解能の所要時間表示部１１ｍ，１１ｓ，１１ｄｓにラップタイムＬＰを第１書体データＦ０〜Ｆ９に基づいて表示すると共に、描画更新の度に５０ミリ秒の描画更新周期よりも短い時間分解能の所要時間表示部１１ｃｓに第２書体データからＦ０１ａ、Ｆ２３ａ、Ｆ４５ａ、Ｆ６７ａ、Ｆ８９ａの順に選択して表示する。そして、制御手段２は、ラップタイムＬＰが計時を終了すると、所要時間表示部１１ｍ，１１ｓ，１１ｄｓ，１１ｃｓにラップタイムＬＰを第１書体データＦ０〜Ｆ９に基づいて表示する。
このように構成することで、描画更新周期よりも短い時間分解能の所要時間表示部１１ｃｓにおいても、Ｆ０１ａ、Ｆ２３ａ、Ｆ４５ａ、Ｆ６７ａ、Ｆ８９ａの順に表示されるので、所要時間表示部１１ｃｓにおいてもラップタイムＬＰがカウントされている様子を疑似的に表示することができ、違和感のない表示となる。
【００２９】
また、第２書体データＦ０１ａ、Ｆ２３ａ、Ｆ４５ａ、Ｆ６７ａ、Ｆ８９ａは、隣り合う数値を組み合わせて構成した。
このように構成することで、第２書体データＦ０１ａ、Ｆ２３ａ、Ｆ４５ａ、Ｆ６７ａ、Ｆ８９ａは、第１書体データＦ０〜Ｆ９に比べ半数のパターンで構成される。そのため、５０ミリ秒の描画更新周期よりも長い時間分解能の所要時間表示部１１ｍ，１１ｓ，１１ｄｓが順に切り替わるよりも、描画更新の度に５０ミリ秒の描画更新周期よりも短い時間分解能の所要時間表示部１１ｃｓが早く表示が一巡するため、所要時間表示部１１ｍ，１１ｓ，１１ｄｓよりも所要時間表示部１１ｃｓの方が早く表示が切り替わっているように見え、違和感のない表示となる。
【００３０】
（第２書体データの変形例）
また、第２書体データは、図５に示すように、隣り合う奇数と偶数の数値を組み合わせるにあたって、数の大きい数値を数の小さい数値に比べ濃淡を濃くすることで強調するような構成としてもよい。
このように構成することで、第２書体データＦ０１ｂ、Ｆ２３ｂ、Ｆ４５ｂ、Ｆ６７ｂ、Ｆ８９ｂの順に表示した際に所要時間が増える様がより強調され、違和感のない表示となる。
【００３１】
本発明は、上記の実施形態（図面の内容も含む）によって限定されず、本発明の主旨に従う範囲で、上記の実施形態に変更（構成要素の削除も含む）を加えることができる。
【００３２】
例えば、第２書体データは、Ｆ０〜Ｆ９の画像から奇数あるいは偶数だけを選出したものとしてもよい。また、第２書体データは、Ｆ０〜Ｆ９の画像に対し、所定の方向（例えば、上方向あるいは下方向）に対しモーションブラー効果を付与したものとしてもよい。
【００３３】
また、上記の実施形態においては、第２書体データを所定の順に選択するものとしたが、乱数を発生させてこの乱数に基づいて第２書体データを選択するものとしても、違和感はある程度軽減される。
【産業上の利用可能性】
【００３４】
本発明は、所要時間を画像表示する装置に好適である。
【符号の説明】
【００３５】
Ｍ…車両用計器（所要時間表示装置）、１…画像表示手段、１０…表示部、１１…所定時間表示部、１１ｍ，１１ｓ，１１ｄｓ…所定時間表示部（第１表示部）、１１ｃｓ…所定時間表示部（第２表示部）、Ｆ０〜Ｆ９…第１書体データ、Ｆ０１ａ，Ｆ２３ａ，Ｆ４５ａ，Ｆ６７ａ，Ｆ８９ａ…第２書体データ、Ｆ０１ｂ，Ｆ２３ｂ，Ｆ４５ｂ，Ｆ６７ｂ，Ｆ８９ｂ…第２書体データの変形例
【図１】
2018081011.tif 000003
【図２】
2018081011.tif 000004
【図３】
2018081011.tif 000005
【図４】
2018081011.tif 000006
【図５】
2018081011.tif 000007